【手続補正書】
【提出日】平成14年12月12日(2002.12.12)
【手続補正１】
【補正対象書類名】明細書
【補正対象項目名】特許請求の範囲
【補正方法】変更
【補正の内容】
【特許請求の範囲】
【請求項１】
送信前に誤り訂正符号化（ＦＥＣ）技術を用いて符号化されたデータパケットを自動再送要求に基づいて再送した後、シンボル単位またはビット単位のいずれかで、以前受信した誤りを含むデータパケットとソフト合成し、前記誤りを含むデータパケットのシンボルは、所定の第１信号コンスタレーションを用いて変調し、前記再送したデータパケットのシンボルは、少なくとも所定の第２信号コンスタレーションを用いて変調し、各シンボルビットは、前記所定の信号コンスタレーションの全シンボルに対する個々のビット信頼性によって定義された平均ビット信頼性を有する、データ再送方法において、
前記データパケットに対する前記所定の第１信号コンスタレーションおよび前記少なくとも第２信号コンスタレーションは、すべての送信のそれぞれのビットに対する合成平均ビット信頼性が平均化されるように選択されることを特徴とするデータ再送方法。
【請求項２】
前記第１信号コンスタレーションおよび各第２信号コンスタレーションの少なくとも２つの変調シンボル間の各ユークリッド距離は異なる、請求項１記載のデータ再送方法。
【請求項３】
使用する変調方式は直交振幅変調（ＱＡＭ）であり、１つのシンボルには２ビットより多くのビットがマッピングされる、請求項１記載のデータ再送方法。
【請求項４】
前記データパケットのシンボルビットはグレイ符号化される、請求項１記載のデータ再送方法。
【請求項５】
使用する変調方式は１６ＱＡＭであり、変調時において４つのシンボルビットにはそれぞれ平均ビット信頼性の２つのレベルのうちの１つが割り当てられる、請求項１記載のデータ再送方法。
【請求項６】
前記第１信号コンスタレーションを使用する変調時において、シンボルの２つのビットには高い平均ビット信頼性が割り当てられ、前記シンボルの残り２つのビットには低い平均ビット信頼性が割り当てられ、前記第２信号コンスタレーションを使用する変調時において、それぞれのシンボルビットには逆の平均ビット信頼性が割り当てられる、請求項５記載のデータ再送方法。
【請求項７】
使用する変調方式は６４ＱＡＭであり、変調時において６つのシンボルビットにはそれぞれ平均ビット信頼性の３つのレベルのうちの１つが割り当てられる、請求項１記載のデータ再送方法。
【請求項８】
前記第１信号コンスタレーションを使用する変調時において、シンボルの２つのビットには高い平均ビット信頼性が割り当てられ、さらに２つのビットには中間の平均ビット信頼性が割り当てられ、前記シンボルの残りの２ビットには低い平均ビット信頼性が割り当てられ、前記第２信号コンスタレーションおよび第３信号コンスタレーションを使用する変調時において、それぞれのシンボルビットには、すべての（再）送信を通じて対応するビットに対する平均ビット信頼性の合計がほぼ均等になるように逆の平均ビット信頼性が割り当てられる、請求項７記載のデータ再送方法。
【請求項９】
複数の信号コンスタレーションパターンを記憶するテーブル手段と、
前記複数の信号コンスタレーションパターンの中の一の信号コンスタレーションパターンを用いてデータを変調する変調手段と、
前記一の信号コンスタレーションパターンを用いて変調された前記データを送信する送信手段と、
再送要求に応じて、前記一の信号コンスタレーションパターンと異なる他の信号コンスタレーションパターンを用いて変調された前記データを送信する再送手段と、
有するデータ送信装置。
【請求項１０】
前記変調手段は、あらかじめ決められた計画に従って、前記複数の信号コンスタレーションパターンの中から前記送信および再送用の信号コンスタレーションパターンを選択する、請求項９記載のデータ送信装置。
【請求項１１】
前記変調手段は、変調方式として１６直交振幅変調（ＱＡＭ）を用い、前記変調手段に入力される４つのデータビットは、前記変調手段によって１つのデータシンボル出力で表される、請求項９記載のデータ送信装置。
【請求項１２】
２つのビットは高い信頼性を有し、他の２つのビットは低い信頼性を有する、請求項１１記載のデータ送信装置。
【請求項１３】
１６ＱＡＭのコンスタレーションパターンのうち少なくとも１つのコンスタレーションパターンは、４ビットの入力ビット列（ｉ１ｑ１ｉ２ｑ２）に対し、１番目の入力ビットｉ１および２番目の入力ビットｑ１をそれぞれ信頼性の高い出力ビット位置に配置し、３番目の入力ビットｉ２および４番目の入力ビットｑ２をそれぞれ反転させずに信頼性の低い出力ビット位置に配置する、請求項１２記載のデータ送信装置。
【請求項１４】
１６ＱＡＭのコンスタレーションパターンのうち少なくとも１つのコンスタレーションパターンは、４ビットの入力ビット列（ｉ１ｑ１ｉ２ｑ２）に対し、１番目の入力ビットｉ１および２番目の入力ビットｑ１をそれぞれ反転させずに信頼性の低い出力ビット位置に配置し、３番目の入力ビットｉ２および４番目の入力ビットｑ２をそれぞれ信頼性の高い出力ビット位置に配置する、請求項１２記載のデータ送信装置。
【請求項１５】
１６ＱＡＭのコンスタレーションパターンのうち少なくとも１つのコンスタレーションパターンは、４ビットの入力ビット列（ｉ１ｑ１ｉ２ｑ２）に対し、１番目の入力ビットｉ１および２番目の入力ビットｑ１をそれぞれ反転させて信頼性の低い出力ビット位置に配置し、３番目の入力ビットｉ２および４番目の入力ビットｑ２をそれぞれ信頼性の高い出力ビット位置に配置する、請求項１２記載のデータ送信装置。
【請求項１６】
１６ＱＡＭのコンスタレーションパターンのうち少なくとも１つのコンスタレーションパターンは、４ビットの入力ビット列（ｉ１ｑ１ｉ２ｑ２）に対し、１番目の入力ビットｉ１および２番目の入力ビットｑ１をそれぞれ信頼性の高い出力ビット位置に配置し、３番目の入力ビットｉ２および４番目の入力ビットｑ２をそれぞれ反転させて信頼性の低い出力ビット位置に配置する、請求項１２記載のデータ送信装置。
【請求項１７】
複数の信号コンスタレーションパターンを記憶するテーブル手段と、
前記複数の信号コンスタレーションパターンのうち、送信側で変調の際に用いられた信号コンスタレーションパターンと同じ信号コンスタレーションパターンを用いてデータを復調する復調手段と、
送信用の信号コンスタレーションパターンを用いて復調されたデータと、再送要求に応じて再送され再送用の信号コンスタレーションパターンを用いて復調されたデータとを合成する合成手段と、
有するデータ受信装置。
【請求項１８】
すべての（再）送信を通じてシンボルビットを変調するために用いられる信号コンスタレーションの順序を記憶する記憶手段をさらに有する、請求項１７記載のデータ受信装置。
【請求項１９】
複数の信号コンスタレーションパターンを記憶するテーブル手段と、
前記複数の信号コンスタレーションパターンの中の一の信号コンスタレーションパターンを用いてデータを変調する変調手段と、
変調されたデータを送信する送信手段と、
再送要求に応じて、信号コンスタレーションリアレンジメントを用いてデータを再送する再送手段と、
を有するデータ送信装置。
【請求項２０】
前記変調手段は、あらかじめ決められた計画に従って、前記複数の信号コンスタレーションパターンの中から前記送信および再送用の信号コンスタレーションパターンを選択する、請求項１９記載のデータ送信装置。
【請求項２１】
前記変調手段は、変調方式として１６直交振幅変調（ＱＡＭ）を用い、前記変調手段に入力される４つのデータビットは、前記変調手段によって１つのデータシンボル出力で表される、請求項１９記載のデータ送信装置。
【請求項２２】
２つのビットは高い信頼性を有し、他の２つのビットは低い信頼性を有する、請求項２１記載のデータ送信装置。
【請求項２３】
１６ＱＡＭのコンスタレーションパターンのうち少なくとも１つのコンスタレーションパターンは、４ビットの入力ビット列（ｉ１ｑ１ｉ２ｑ２）に対し、１番目の入力ビットｉ１および２番目の入力ビットｑ１をそれぞれ信頼性の高い出力ビット位置に配置し、３番目の入力ビットｉ２および４番目の入力ビットｑ２をそれぞれ反転させずに信頼性の低い出力ビット位置に配置する、請求項２２記載のデータ送信装置。
【請求項２４】
１６ＱＡＭのコンスタレーションパターンのうち少なくとも１つのコンスタレーションパターンは、４ビットの入力ビット列（ｉ１ｑ１ｉ２ｑ２）に対し、１番目の入力ビットｉ１および２番目の入力ビットｑ１をそれぞれ反転させずに信頼性の低い出力ビット位置に配置し、３番目の入力ビットｉ２および４番目の入力ビットｑ２をそれぞれ信頼性の高い出力ビット位置に配置する、請求項２２記載のデータ送信装置。
【請求項２５】
１６ＱＡＭのコンスタレーションパターンのうち少なくとも１つのコンスタレーションパターンは、４ビットの入力ビット列（ｉ１ｑ１ｉ２ｑ２）に対し、１番目の入力ビットｉ１および２番目の入力ビットｑ１をそれぞれ反転させて信頼性の低い出力ビット位置に配置し、３番目の入力ビットｉ２および４番目の入力ビットｑ２をそれぞれ信頼性の高い出力ビット位置に配置する、請求項２２記載のデータ送信装置。
【請求項２６】
１６ＱＡＭのコンスタレーションパターンのうち少なくとも１つのコンスタレーションパターンは、４ビットの入力ビット列（ｉ１ｑ１ｉ２ｑ２）に対し、１番目の入力ビットｉ１および２番目の入力ビットｑ１をそれぞれ信頼性の高い出力ビット位置に配置し、３番目の入力ビットｉ２および４番目の入力ビットｑ２をそれぞれ反転させて信頼性の低い出力ビット位置に配置する、請求項２２記載のデータ送信装置。
【請求項２７】
信号コンスタレーションパターンを用いてデータを変調する変調手段と、
変調されたデータを送信する送信手段と、
再送要求に応じて、データを再送する再送手段と、を有し、
前記変調手段は、
データ再送時に、送信シンボルを構成する各ビットのＩ−Ｑ平面上の位置をリアレンジしてなる信号コンスタレーションパターンを用いてデータの変調を行う、
データ送信装置。
【請求項２８】
前記変調手段は、あらかじめ決められた計画に従って、前記複数の信号コンスタレーションパターンの中から前記送信および再送用の信号コンスタレーションパターンを選択する、請求項２７記載のデータ送信装置。
【請求項２９】
前記変調手段は、変調方式として１６直交振幅変調（ＱＡＭ）を用い、前記変調手段に入力される４つのデータビットは、前記変調手段によって１つのデータシンボル出力で表される、請求項２７記載のデータ送信装置。
【請求項３０】
２つのビットは高い信頼性を有し、他の２つのビットは低い信頼性を有する、請求項２９記載のデータ送信装置。
【請求項３１】
１６ＱＡＭのコンスタレーションパターンのうち少なくとも１つのコンスタレーションパターンは、４ビットの入力ビット列（ｉ１ｑ１ｉ２ｑ２）に対し、１番目の入力ビットｉ１および２番目の入力ビットｑ１をそれぞれ信頼性の高い出力ビット位置に配置し、３番目の入力ビットｉ２および４番目の入力ビットｑ２をそれぞれ反転させずに信頼性の低い出力ビット位置に配置する、請求項３０記載のデータ送信装置。
【請求項３２】
１６ＱＡＭのコンスタレーションパターンのうち少なくとも１つのコンスタレーションパターンは、４ビットの入力ビット列（ｉ１ｑ１ｉ２ｑ２）に対し、１番目の入力ビットｉ１および２番目の入力ビットｑ１をそれぞれ反転させずに信頼性の低い出力ビット位置に配置し、３番目の入力ビットｉ２および４番目の入力ビットｑ２をそれぞれ信頼性の高い出力ビット位置に配置する、請求項３０記載のデータ送信装置。
【請求項３３】
１６ＱＡＭのコンスタレーションパターンのうち少なくとも１つのコンスタレーションパターンは、４ビットの入力ビット列（ｉ１ｑ１ｉ２ｑ２）に対し、１番目の入力ビットｉ１および２番目の入力ビットｑ１をそれぞれ反転させて信頼性の低い出力ビット位置に配置し、３番目の入力ビットｉ２および４番目の入力ビットｑ２をそれぞれ信頼性の高い出力ビット位置に配置する、請求項３０記載のデータ送信装置。
【請求項３４】
１６ＱＡＭのコンスタレーションパターンのうち少なくとも１つのコンスタレーションパターンは、４ビットの入力ビット列（ｉ１ｑ１ｉ２ｑ２）に対し、１番目の入力ビットｉ１および２番目の入力ビットｑ１をそれぞれ信頼性の高い出力ビット位置に配置し、３番目の入力ビットｉ２および４番目の入力ビットｑ２をそれぞれ反転させて信頼性の低い出力ビット位置に配置する、請求項３０記載のデータ送信装置。